【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
複数のゲート配線と複数のソース配線の各交差部に対応して形成された薄膜トランジスタ、
前記薄膜トランジスタに接続された画素電極、
前記画素電極に対向して形成された対向電極、
前記ゲート配線に電圧を印加するためのゲート端子、
前記ゲート配線と前記ゲート端子とを接続する表示領域外にある引き出し配線
を有するアレイ基板と、
前記アレイ基板に対向する対向基板とを備え、
前記引き出し配線の上層に、絶縁膜を介して導電層を配設したことを特徴とする液晶表示装置。
【請求項２】
複数のゲート配線と複数のソース配線の各交差部に対応して形成された薄膜トランジスタ、
前記薄膜トランジスタに接続された画素電極、
前記画素電極に対向して形成され、共通信号線に接続された対向電極、
複数の前記共通信号線を共通に接続する接続線、
前記ゲート配線に電圧を印加するためのゲート端子、
前記ゲート配線と前記ゲート端子とを接続する表示領域外にある引き出し配線
を有するアレイ基板と、
前記アレイ基板に対向する対向基板とを備え、
前記接続線以外に、前記引き出し配線の上層に絶縁膜を介して導電膜を配設したことを特徴とする液晶表示装置。
【請求項３】
複数のゲート配線と複数のソース配線の各交差部に対応して形成された薄膜トランジスタ、
前記薄膜トランジスタに接続された画素電極、
前記画素電極に対向して形成され、共通信号線に接続された対向電極、
複数の前記共通信号線を共通に接続する接続線、
前記ゲート配線に電圧を印加するためのゲート端子、
前記ゲート配線と前記ゲート端子とを接続する表示領域外にある引き出し配線
を有するアレイ基板と、
前記アレイ基板に対向する対向基板とを備え、
前記引き出し配線の上層に、絶縁膜を介して前記接続線を前記ゲート端子側に延在させて形成した導電膜を配設したことを特徴とする液晶表示装置。
【請求項４】
複数のゲート配線と複数のソース配線の各交差部に対応して形成された薄膜トランジスタ、
前記薄膜トランジスタに接続された画素電極、
前記画素電極に対向して形成され、共通信号線に接続された対向電極、
複数の前記共通信号線を変換部によって共通に接続する接続線、
前記ゲート配線に電圧を印加するためのゲート端子、
前記ゲート配線と前記ゲート端子とを接続する表示領域外にある引き出し配線
を有するアレイ基板と、
前記アレイ基板に対向する対向基板とを備え、
前記引き出し線の上層に、絶縁膜を介して前記変換部と同一層で形成した導電膜を配設したことを特徴とする液晶表示装置。
【請求項５】
前記導電層は、前記変換部を前記ゲート端子側に延在させて形成したことを特徴とする請求項４記載の液晶表示装置。
【請求項６】
前記導電層は、前記画素電極と同一層であることを特徴とする請求項１乃至５のいずれかに記載の液晶表示装置。
【請求項７】
前記導電層は、透光性を有する導電膜で形成したことを特徴とする請求項１乃至６のいずれかに記載の液晶表示装置。
【請求項８】
複数のゲート配線と複数のソース配線の各交差部に対応して形成された薄膜トランジスタ、
前記薄膜トランジスタに接続された画素電極、
前記画素電極に対向して形成された対向電極、
前記ゲート配線に電圧を印加するためのゲート端子、
前記ゲート配線と前記ゲート端子とを接続する表示領域外にある引き出し配線、
を有するアレイ基板と、
前記アレイ基板に対向する対向基板とを備え、
前記対向基板上の前記引き出し配線に対応する領域に、導電層を形成したことを特徴とする液晶表示装置。
【請求項９】
絶縁性基板上に、
複数のゲート配線と複数のソース配線の各交差部に対応して薄膜トランジスタを形成する工程と、
前記薄膜トランジスタに接続された画素電極を形成する工程と、
前記画素電極に対応した対向電極を形成する工程と、
前記ゲート配線に電圧を印加するためのゲート端子を形成する工程と、
前記ゲート配線と前記ゲート端子とを接続する表示領域外にある引き出し配線を形成する工程と、
前記引き出し配線の上層に、絶縁膜を介して導電膜を形成する工程と、を有することを特徴とする液晶表示装置の製造方法。
【請求項１０】
絶縁性基板上に、
複数のゲート配線と複数のソース配線の各交差部に対応して薄膜トランジスタを形成する工程と、
前記薄膜トランジスタに接続された画素電極を形成する工程と、
前記画素電極に対向し、共通信号線に接続された対向電極を形成する工程と、
複数の前記共通信号線を共通に接続する接続線を形成する工程と、
前記ゲート配線に電圧を印加するためのゲート端子を形成する工程と、
前記ゲート配線と前記ゲート端子とを接続する表示領域外にある引き出し配線を形成する工程と、
前記接続線以外に、前記引き出し配線の上層に、絶縁膜を介して導電膜を形成する工程と、
を有することを特徴とする液晶表示装置の製造方法。
【請求項１１】
絶縁性基板上に、
複数のゲート配線と複数のソース配線の各交差部に対応して薄膜トランジスタを形成する工程と、
前記薄膜トランジスタに接続された画素電極を形成する工程と、
前記画素電極に対向し、共通信号線に接続された対向電極を形成する工程と、
複数の前記共通信号線を共通に接続する接続線を形成する工程と、
前記ゲート配線に電圧を印加するためのゲート端子を形成する工程と、
前記ゲート配線と前記ゲート端子とを接続する表示領域外にある引き出し配線を形成する工程と、
前記引き出し配線の上層に、絶縁膜を介して前記接続線を前記ゲート端子側に延在させて導電膜を形成する工程と、
を有することを特徴とする液晶表示装置の製造方法。
【請求項１２】
絶縁性基板上に、
複数のゲート配線と複数のソース配線の各交差部に対応して薄膜トランジスタを形成する工程と、
前記薄膜トランジスタに接続された画素電極を形成する工程と、
前記画素電極に対向し、共通信号線に接続された対向電極を形成する工程と、
複数の前記共通信号線を変換部によって共通に接続する接続線を形成する工程と、
前記ゲート配線に電圧を印加するためのゲート端子を形成する工程と、
前記ゲート配線と前記ゲート端子とを接続する表示領域外にある引き出し配線を形成する工程と、
前記引き出し配線の上層に、絶縁膜を介して前記変換部と同一層からなる導電膜を形成する工程と、
を有することを特徴とする液晶表示装置の製造方法。
【請求項１３】
前記導電層は、前記変換部を前記ゲート端子側に延在させて形成したことを特徴とする請求項１２記載の液晶表示装置の製造方法。
【請求項１４】
前記導電層は、前記画素電極と同一層で形成したことを特徴とする請求項９乃至１３のいずれかに記載の液晶表示装置の製造方法。
【請求項１５】
前記導電層は、透光性を有する導電膜で形成したことを特徴とする請求項９乃至１４のいずれかに記載の液晶表示装置の製造方法。
【手続補正２】
【補正対象書類名】明細書
【補正対象項目名】０００６
【補正方法】変更
【補正の内容】
【０００６】
この発明に係る液晶表示装置は、複数のゲート配線と複数のソース配線の各交差部に対応して形成された薄膜トランジスタ、前記薄膜トランジスタに接続された画素電極、前記画素電極に対向して形成された対向電極、前記ゲート配線に電圧を印加するためのゲート端子、前記ゲート配線と前記ゲート端子とを接続する表示領域外にある引き出し配線を有するアレイ基板と、前記アレイ基板に対向する対向基板とを備え、前記引き出し配線の上層に、絶縁膜を介して導電層を配設したことを特徴とする。
【手続補正３】
【補正対象書類名】明細書
【補正対象項目名】０００７
【補正方法】変更
【補正の内容】
【０００７】
この発明は、引き出し配線の上層に絶縁膜を介して導電層を配設したことにより、引き出し配線から発生する電界を導電層が遮蔽し、対向基板の電位変動を防止することで、ゲート端子近傍の表示領域に白抜けを生じず表示品位を向上することが可能となる。